(57)【要約】【課題】ガラス管をチャックで把持することから、灯全体を軸線方向に動かしても、ストレスをガラス管に加えないで、蛍光灯を簡単な操作で容易に取付け乃至は取外し可能な直管型蛍光灯の着脱交換器具を構成する。【解決手段】横桁フレーム３より上向きに立って蛍光灯Ｌのガラス管Ｇを把持し乃至は解放可能なチャック５，６を備え、片側のソケットケースＮ１と当接させてガラス管Ｇから口金Ｃ１を自由に受入れ可能にチャック５，６より上方に立ち上がるプッシャ４を横桁フレーム３の筒片端より延長方向に移動し乃至はバネ引張で退却可能に備え、操作棒１の軸回しにより、プッシャ４を退却方向のバネ引張に抗して延長方向に押送りする偏心カム７を横桁フレーム３の筒内で支柱軸２の軸線上に取り付けてなる。【選択図】図１
2008192457.tif 000002
【特許請求の範囲】
【請求項１】
口金をソケットケースで収容したバネ変位可能なソケットに当接し、口金ピンをソケットの端子穴に差し込んで電気的に接続する直管型蛍光灯の着脱交換器具であって、
取手兼軸回し用の操作棒と、操作棒の先端部に植設した支柱軸と、支柱軸を操作棒の軸回しに伴って回転自在に挿通保持し、且つ、操作棒より蛍光灯のガラス管と相対する横方向に伸びる筒形の横桁フレームとを基体とし、
横桁フレームより上向きに立って蛍光灯のガラス管を把持し乃至は解放可能なチャックを横桁フレームの側部に備え、片側のソケットケースと当接させて蛍光灯のガラス管から口金を自由に受入れ可能にチャックより上方に立ち上がるプッシャを横桁フレームの筒片端より延長方向に移動し乃至はバネ引張で退却可能に備え、プッシャを退却方向のバネ引張に抗して延長方向に押送りする偏心カムを横桁フレームの筒内で支柱軸の軸線上に取り付けてなることを特徴とする直管型蛍光灯の着脱交換器具。
【請求項２】
先端中央の横軸部より左右の縦軸部を直角に折り曲げて略コの字状を呈し、両縦軸部の中腹辺を同方向の円弧状に湾曲し、両縦軸部の先端寄りを円弧方向と逆方向の斜め上方に反り返し、両縦軸部より軸下側を基軸部として円弧方向と同方向の略直角方向に折り曲げた把持枠を二つ対に備え、
各基軸部を横桁フレームの各側部面に開口した係止穴より筒内に挿置させて両把持枠を横桁フレームの側部両側で相対し、横桁フレームの筒内に配置する引張バネの各バネ端を横桁フレームの各側部面に開口する通し穴より外方に引き出させて両把持枠の相対する縦軸部の軸下寄りに掛け渡し、
横桁フレームの係止穴より筒内に挿置する基軸部を支点に、両把持枠を引張バネで離間乃至は近接可能に支持し、両縦軸部の先端寄りをガラス管の受入れ口とし、縦軸部の中腹辺をガラス管の挟持部としたチャックを組み付けてなることを特徴とする請求項１に記載の直管型蛍光灯の着脱交換器具。
【請求項３】
先端中央の横軸部より左右の縦軸部を直角に折り曲げて略コの字状を呈し、両縦軸部の中腹辺より先端側を同方向の円弧状に湾曲し、円弧方向と逆方向に張り出す段部を両縦軸部の中腹辺に設け、先端中央の横軸部と平行する橋絡軸部を段部の間に掛け渡し、両縦軸部より下軸側を基軸部として円弧方向と同方向の略直角方向に折り曲げた把持枠を二つ対に備え、
各基軸部を横桁フレームの各側部面に開口した係止穴より筒内に挿置させて両把持枠を横桁フレームの側部両側で相対し、横桁フレームの筒内に配置する引張バネの各バネ端を横桁フレームの各側部面に開口する通し穴より外方に引き出させて両把持枠の相対する縦軸部の段部より下軸側に掛け渡し、
横桁フレームの係止穴より筒内に挿置する基軸部を支点に、両把持枠を引張バネで離間乃至は近接可能に支持し、両縦軸部の中腹辺より先端側をガラス管の挟持部としたチャックを組み付けると共に、
下辺部を横桁フレームの下部側に配置し、各側辺部を横桁フレームの両側部に配置し、各側辺部の先端側を横桁フレームの側部面と各把持枠の橋絡軸部との間に割込ませ可能な上向きコ字状の楔状片と、楔状片の底辺部に植立させて横桁フレームの筒内に挿通し、鍔頭部を把持枠の相対する横桁フレームの上部面に露出する外しピンとからなり、
外しピンを把持枠の相対する横桁フレームの上部面に突出させ、且つ、楔状枠の各側辺部を横桁フレームの側部面と各把持枠の橋絡軸部との間に割り込ませて把持枠を離間保持し、一方、離間保持した把持枠の間に受け入れる蛍光灯のガラス管により外しピンを押し下げて楔状枠を横桁フレームの側部面と各把持枠の橋絡軸部との間より外出し可能なキーを組み付けてなることを特徴とする請求項１に記載の直管型蛍光灯の着脱交換器具。
【請求項４】
操作棒を中央に建て付け、操作棒より蛍光灯のガラス管と相対する両方向に亘る横桁フレームを備え、チャックを横桁フレームの両端寄り側部に各々配設してなることを特徴とする請求項１〜３のいずれかに記載の直管型蛍光灯の着脱交換器具。
【請求項５】
滑止め用の弾性パッドを蛍光灯のガラス管と相対する横桁フレームの上部面に張設してなることを特徴とする請求項１〜４のいずれかに記載の直管型蛍光灯の着脱交換器具。
【発明の詳細な説明】
【技術分野】
【０００１】
本発明は、口金をソケットケースで収容したバネ変位可能なソケットに当接し、口金ピンをソケットの端子穴に差し込んで電気的に接続する直管型蛍光灯の着脱交換器具に関するものである。
【背景技術】
【０００２】
直管型の蛍光灯としては、両側のソケットをバネ変位可能にソケットケースで各々収容し、両側の口金ピンを各ソケットの端子穴に差し込んで各口金をソケットに当接させて掛渡し装備するものがある。
【０００３】
その蛍光灯の場合、片側のソケットをソケットケースの内部に没入させることから、他方の口金（「口金ピン」含む。以下同じ）を相対するソケット（「端子穴」を含む。以下同じ）より離間させて灯全体を外し出し、または、他方の口金を相対するソケットと合わせて取り付けることから着脱交換可能に備え付けられている。
【０００４】
天井等の比較的高所に装備される蛍光灯の着脱交換に対応するべく、従来、高所にまで伸ばせる長尺な取手棒を備え、蛍光灯のガラス管を把持乃至は解放可能なチャックを取手棒の先端側に取付固定すると共に、蛍光灯の口金を銜えて灯全体を軸線方向に横ずらし可能な可動爪をチャックより離間位置する取手棒の先端側に取り付けた蛍光灯の交換器具が知られている（特許文献１，２）。
【０００５】
それとは別に、上述した可動爪に代えて、口金とソケットとの隙間に差し込んで灯全体を軸線方向に横ずらしするよう口金の端部面より押圧可能な係合片を取手棒の先端側に取り付けた蛍光灯の交換器具も知られている（特許文献３，４）。
【０００６】
その蛍光灯の着脱交換器具は、蛍光灯の取外し時で説明すると、いずれも、蛍光灯のガラス管をチャックで把持すると共に、灯全体を可動爪または係合片でチャック側に向けて軸線送りするよう構成されている。換言すると、ガラス管のチャックによる把持（固定点）に対し、灯全体を可動爪または係合片の可動側で押し送りするものとして構成されている。
【０００７】
それによると、灯全体を可動爪または係合片で押し送りするに伴って、ガラス管が相対的にずれ動けるようチャックで緩やかに把持されていなければ、可動爪または係合片の押圧によるストレスがチャックとの間でガラス管に加わってしまう。このため、ガラス管を安定よく把持し、なお且つ、ガラス管を相対的にずれ動かせられるよう緩やかに把持することの可能なチャックを備え付けることが必要となる。
【０００８】
上述した以外に、略台形に折り曲げた板バネでなる支持台を取手棒の先端側に取り付け、鰐口状のクリップを支持台の内側に介装すると共に、クリップと支持台とを支軸で相対的にズレ動可能に軸着し、支持台の側板を引張り紐で拡開する操作レバーを取手棒の握り部に取り付け、更に、略Ｌの字状を呈する突張りアームを支持台の下部側からソケットケースまで伸びるよう取手棒の側面に支軸で軸着した蛍光灯の着脱交換器具が知られている（特許文献５）。
【０００９】
その蛍光灯の着脱交換器具は、蛍光灯の取外し時で説明すると、まず、クリップを半開き状態でガラス管にあてがい、取手棒がクリップと支持台との支軸点より突張りアームの張出し側と反対方向に斜めになるよう保ち、突張りアームの先端側を片側のソケットケースにあてがうと共に、ガラス管をクリップで把持し、次いで、取手棒を垂直方向に移動することにより、突張りアームをソケットケースに圧接させてテコとすることから、ガラス管を把持したクリップにより灯全体を軸線方向に動かせて口金をソケットより取り外せるよう構成されている。
【００１０】
その蛍光灯の着脱交換器具では、上述したようにクリップを半開き状態でガラス管にあてがって取手棒の軸線を斜めに保つことにより、突張りアームの先端側を片側のソケットケースにあてがうという不安定な手間の掛かる作業が必要となる。また、突張りアームをソケットケースに圧接するテコ状態のままでソケットケースより擦り下げて灯全体をソケットから外すという無理な作業も必要となる。
【特許文献１】特開平１０−２５５７１７
【特許文献２】実用新案登録第３０９９０６６号
【特許文献３】特開平９−５７６４４
【特許文献４】特開平１０−５７２
【特許文献５】実用新案登録第３０１７８６２号
【発明の開示】
【発明が解決しようとする課題】
【００１１】
本発明の課題は、ガラス管をチャックで把持することから、灯全体を軸線方向に動かしても、ストレスをガラス管に加えないで、蛍光灯を簡単な操作で容易に取付け乃至は取外し可能な直管型蛍光灯の着脱交換器具を構成するところにある。
【００１２】
本発明の別の課題は、ガラス管をチャックで安定よく確実に把持することから、蛍光灯を簡単な操作で容易に取付け乃至は取外し可能な直管型蛍光灯の着脱交換器具を構成するところにある。
【課題を解決するための手段】
【００１３】
本願の請求項１は、口金をソケットケースで収容したバネ変位可能なソケットに当接し、口金ピンをソケットの端子穴に差し込んで電気的に接続する直管型蛍光灯の着脱交換器具であって、
取手兼軸回し用の操作棒と、操作棒の先端部に植設した支柱軸と、支柱軸を操作棒の軸回しに伴って回転自在に挿通保持し、且つ、操作棒より蛍光灯のガラス管と相対する横方向に伸びる筒形の横桁フレームとを基体とし、
横桁フレームより上向きに立って蛍光灯のガラス管を把持し乃至は解放可能なチャックを横桁フレームの側部に備え、片側のソケットケースと当接させて蛍光灯のガラス管から口金を自由に受入れ可能にチャックより上方に立ち上がるプッシャを横桁フレームの筒片端より延長方向に移動し乃至はバネ引張で退却可能に備え、プッシャを退却方向のバネ引張に抗して延長方向に押送りする偏心カムを横桁フレームの筒内で支柱軸の軸線上に取り付けてなることを特徴とする。
【００１４】
本願の請求項２は、先端中央の横軸部より左右の縦軸部を直角に折り曲げて略コの字状を呈し、両縦軸部の中腹辺を同方向の円弧状に湾曲し、両縦軸部の先端寄りを円弧方向と逆方向の斜め上方に反り返し、両縦軸部より軸下側を基軸部として円弧方向と同方向の略直角方向に折り曲げた把持枠を二つ対に備え、
各基軸部を横桁フレームの各側部面に開口した係止穴より筒内に挿置させて両把持枠を横桁フレームの側部両側で相対し、横桁フレームの筒内に配置する引張バネの各バネ端を横桁フレームの各側部面に開口する通し穴より外方に引き出させて両把持枠の相対する縦軸部の軸下寄りに掛け渡し、
横桁フレームの係止穴より筒内に挿置する基軸部を支点に、両把持枠を引張バネで離間乃至は近接可能に支持し、両縦軸部の先端寄りをガラス管の受入れ口とし、両縦軸部の中腹辺をガラス管の挟持部としたチャックを組み付けてなることを特徴とする。
【００１５】
本願の請求項３は、先端中央の横軸部より左右の縦軸部を直角に折り曲げて略コの字状を呈し、両縦軸部の中腹辺より先端側を同方向の円弧状に湾曲し、円弧方向と逆方向に張り出す段部を両縦軸部の中腹辺に設け、先端中央の横軸部と平行する橋絡軸部を段部間に掛け渡し、両縦軸部より軸下側を基軸部として円弧方向と同方向の略直角方向に折り曲げた把持枠を二つ対に備え、
各基軸部を横桁フレームの各側部面に開口した係止穴より筒内に挿置させて両把持枠を横桁フレームの側部両側で相対し、横桁フレームの筒内に配置する引張バネの各バネ端を横桁フレームの各側部面に開口する通し穴より外方に引き出させて両把持枠の相対する縦軸部の段部より軸下側に掛け渡し、
横桁フレームの係止穴より筒内に挿置する基軸部を支点に、両把持枠を引張バネで離間乃至は近接可能に支持し、両縦軸部の中腹辺より先端側をガラス管の挟持部としたチャックを組み付けると共に、
底辺部を横桁フレームの下部側に配置し、各側辺部を横桁フレームの両側部に配置し、各側辺部の先端側を横桁フレームの側部面と各把持枠の橋絡軸部との間に割込ませ可能な上向きコ字状の楔状片と、楔状片の底辺部に植立させて横桁フレームの筒内に挿通し、鍔頭部を把持枠の相対する横桁フレームの上部面に露出する外しピンとからなり、
外しピンを把持枠の相対する横桁フレームの上部面に突出させ、且つ、楔状枠の各側辺部を横桁フレームの側部面と各把持枠の橋絡軸部との間に割り込ませて把持枠を離間保持し、一方、離間保持した把持枠の間に受け入れる蛍光灯のガラス管により外しピンを押し下げて楔状枠を横桁フレームの側部面と各把持枠の橋絡軸部との間より外出し可能なキーを組み付けてなることを特徴とする。
【００１６】
本願の請求項４は、操作棒を中央に建て付け、操作棒より蛍光灯のガラス管と相対する両方向に亘る横桁フレームを備え、チャックを横桁フレームの両端寄り側部に各々配設してなることを特徴とする。
【００１７】
本願の請求項５は、滑止め用の弾性パッドを蛍光灯のガラス管と相対する横桁フレームの上部面に張設してなることを特徴とする。
【発明の効果】
【００１８】
本願の請求項１に係る直管型蛍光灯の着脱交換器具では、蛍光灯の取外しにあたり、作業員が具全体を操作棒で持って蛍光灯の装備場所まで持ち上げ、まず、プッシャの先端側を片側のソケットケースに当接し、これを基準面として具全体を押し上げると、チャックが蛍光灯のガラス管を挟持枠の相対間に受け入れて挟持すると共に、プッシャが蛍光灯のガラス管から口金を非接触状態で自由に受け入れる。次いで、作業員が操作棒を軸回しすると、プッシャが偏心カムで横桁フレームの片端部より延長方向に押し送りされ、横桁フレームが蛍光灯のガラス管をチャックで挟持したままソケットケースと当接したプッシャと相対的にズレ動くことから、蛍光灯の灯全体を介して他側のソケットをソケットケースの内部に没入させると同時に、灯全体をプッシャ側のソケットから離間させて口金ピンを含む口金を該ソケットより外し出せる。その口金の取外し状態では、他側の口金ピンを含む口金が他側のソケットで保持されたままであるが、作業員が具全体を操作棒で引き下げれば、プッシャをソケットケースとの当接状態より外せ、蛍光灯のカラス管をチャックで挟持したまま口金ピンを含む口金をプッシャ側のソケットから外せて灯全体をソケットケースより斜め下方に持ち出せ、また、他側の口金ピンを含む口金を他側のソケットより取り外せるから、チャックで挟持した蛍光灯を操作棒で手元まで取り寄せられる。
【００１９】
蛍光灯の取り付けにあたっては、まず、プッシャと片側の口金とを基準面の端面相互で合わせて蛍光灯のガラス管をチャックで把持することから蛍光灯を横桁フレームに組み付ける。次いで、作業員が操作棒を持って蛍光灯を装備場所まで持ち上げ、片側の口金と相応するソケットとを合わせて口金ピンを端子穴に差し込む。片側の口金ピンを端子穴に差し込むと、プッシャの先端側を片側のソケットケースにやや斜めにあてがえる。このプッシャのあてがい状態から、作業員が操作棒を軸回しすると、上述したと同様にプッシャが偏心カムで横桁フレームの片端部より延長方向に押し送りされ、横桁フレームが蛍光灯のガラス管をチャックで挟持したままソケットケースと当接したプッシャと相対的にズレ動き、蛍光灯の灯全体を介して先の口金ピンを端子穴に差し込んだソケットをソケットケースの内部に没入させることから、プッシャ側の口金を当該側のソケットと合わせられる。そのプッシャ側の口金を当該側のソケットと合わせたら、作業員が操作棒を逆に軸回しすると、プッシャが偏心カムによる押送りから解除されることから、先の口金ピンを端子穴に差し込んだソケットをソケットケースの内部で迫り出させられると同時に、プッシャ側の口金ピンを当該側のソケットの端子穴に差し込める。これにより、蛍光灯を装備場所に取り付けられ、作業員が具全体を操作棒で引き下げれば、チャックを蛍光灯のガラス管より外すようにできる。
【００２０】
その蛍光灯の取付け，取外しのいずれに際しても、チャックが蛍光灯のガラス管と擦れ動くことがなく、また、プッシャも蛍光灯のガラス管と摺接することがないため、ストレスをガラス管に加えないで、蛍光灯を簡単な操作で容易に着脱交換するようにできる。
【００２１】
本願の請求項２に係る直管型蛍光灯の着脱交換器具では、両把持枠を横桁フレームの側部両側に引張バネで離間乃至は近接可能に支持し、両縦軸部の先端寄りを斜め上方に反り返させてガラス管の受入れ口とし、両縦軸部の中腹辺を湾曲させてガラス管の挟持部とした二つ対の把持枠によるチャックを組み付けることから、蛍光灯のガラス管をチャックで安定よく把持するようにできる。
【００２２】
本願の請求項３に係る直管型蛍光灯の着脱交換器具では、両把持枠を横桁フレームの側部両側に引張バネで離間乃至は近接可能に支持し、両縦軸部の中腹辺より先端側を湾曲させてガラス管の挟持部とした二つ対の把持枠によるチャックを組み付けることから、蛍光灯のガラス管をチャックで安定よく把持できるばかりでなく、外しピンを把持枠の相対する横桁フレームの上部面に突出させて楔状枠の各側辺を横桁フレームの側部面と各把持枠の橋絡軸部との間に割り込ませることから把持枠を離間保持し、蛍光灯の取外しにあたり、離間保持した把持枠の間に受け入れる蛍光灯のガラス管により外しピンを押し下げて楔状枠を横桁フレームの側部面と各把持枠の橋絡軸部との間より外出し可能なキーを組み付けることから、天井等の比較的高所に装備される蛍光灯でもチャックで簡単且つ確実に把持するようにできる。
【００２３】
本願の請求項４に係る直管型蛍光灯の着脱交換器具では、操作棒を中央に建て付け、操作棒より蛍光灯のガラス管と相対する両方向に亘る横桁フレームを備え、チャックを横桁フレームの両端寄り側部に各々配設することから、操作棒の保持と共に、長尺な直管型の蛍光灯でもチャックで安定よく把持するようにできる。
【００２４】
本願の請求項５に係る直管型蛍光灯の着脱交換器具では、滑止め用の弾性パッドを蛍光灯のガラス管と相対する横桁フレームの上部面に張設することから、チャックによる把持と共に、蛍光灯のガラス管をズレ動かないよう安定よく保持できる。
【発明を実施するための最良の形態】
【００２５】
図示実施の形態は、図１で示すように長尺なガラス管Ｇと、ガラス管Ｇの左右に組み付けられた口金Ｃ１，Ｃ２と、口金Ｃ１，Ｃ２より突出する口金ピンＰ１，Ｐ２とでなる直管型の蛍光灯Ｌを着脱交換するものとして構成されている。この蛍光灯Ｌは、比較的高所の天井等に埋込み装着される反射カバーＲの内側に備え付けられ、口金Ｃ１，Ｃ２をソケットケースＮ１，Ｎ２で収容したバネ変位可能なソケットＳ１，Ｓ２に当接し、口金ピンＰ１，Ｐ２をソケットＳ１，Ｓ２の端子穴（符号なし）に差し込むことから架設装備されている。
【００２６】
器具自体は、作業者が蛍光灯を持ち上げ乃至は持ち下げるに手で持つ取手を兼ねて蛍光灯の着脱を行なうに軸回しする操作棒１と、操作棒１の先端部に植設した支柱軸２と、支柱軸２を操作棒１の軸回しに伴って回転自在に挿通保持することから、操作棒１より蛍光灯のガラス管Ｇと相対する横方向に伸びる四角筒状の横桁フレーム３とを基体として構成されている。
【００２７】
操作棒１は丸パイプ材でなり、一本の縦長棒または伸縮可能な複数本の繋ぎ棒で形成できる。横桁フレーム３としては、操作棒１を中央に建て付け、操作棒１より蛍光灯のガラス管と相対する両方向に亘る長尺なものが備えられている。横桁フレーム３は、四角筒状の金属パイプ材で形成されている。この横桁フレーム３においては、支柱軸２の軸線が正，逆方向に回転可能に挿通保持されている。
【００２８】
横桁フレーム３には、片側のソケットケースＮ１と当接する樹脂製のプッシャ４が片筒端より延長方向に移動し乃至は退却可能に備えられている。操作棒１を介して両側に、二つのチャック５，６が横桁フレーム３の両端寄り側部に各々備えられている。また、プッシャ４を横桁フレーム３の筒片端より延長方向に押送りする偏心カム７が横桁フレーム３の筒内で支柱軸２の軸線上に取り付けられている。横桁フレーム３の上部面には、ベルト状の弾性パッド８がガラス管の滑止め用として張設されている。
【００２９】
操作棒１の先端側には、ホルダー９がプランジャ状のボールキー１０で取外し可能に嵌合せ装着されている。ホルダー９は、取手棒１の先端側に嵌め合せる円筒部９ａと、円筒部９ａの径上側内に嵌着するキャップ部９ｂとから形成されている。キャップ部９ｂは、円筒部９ａより張り出す鍔部９ｃを有し、横桁フレーム３の下部面にあてがい固定する受止めプレート９ｄにより鍔部９ｃを嵌合せ保持することから、操作棒１を含めて横桁フレーム３と相対的にズレ回転可能に取り付けられている。支柱軸２は、キャップ部９ｂの中央に植立固定されている。
【００３０】
プッシャ４は、横桁フレーム３の筒内に嵌装するスライドフレーム４０の外枠４１で保持することから横桁フレーム３の筒片端に備えられている。そのプッシャ４としては、図２で示すように先端側がチャック５（６）より上方に高く立ち上がり、上面側を切り欠いてカラス管Ｇから口金Ｃ１を非接触状態で自由に受入れ可能な略環状のものが備えられている。このプッシャ４は、外枠４１の上部側に締付けねじ４２で立付け固定されている。
【００３１】
スライドフレーム４０は、横断面下向きコ字状の金属フレームで形成されている。このスライドフレーム４０は、横桁フレームの３の内のり幅と略同じ横幅を有すると共に、横桁フレーム３より低い立上り高さから横桁フレーム３の筒内で安定よくスライド可能に組み付けられている。
【００３２】
そのスライドフレーム４０は、上述した偏心カム７で押されて横桁フレーム３の筒片端より延長方向に伸び出し、偏心カム７の押圧解除に伴ってスライドフレーム４０のプッシャ側と横桁フレーム３の筒内に突出する植立ピン４３との間に掛け渡す引張バネ４４により外枠４１が横桁フレーム３の筒片端に当接するまで退却可能に組み付けられている。
【００３３】
チャック５，６は、横桁フレーム３の側部両側で相対する二つ対の把持枠５ａ，５ｂを備えて組み立てられている（図２参照）。対の把持枠５ａ，５ｂは対称形態に組み付けられるが、チャック６を含み、金属線材から同じ軸線形状に折曲げ形成した把持枠により組み立てられている。
【００３４】
一つの把持枠５ａに基づくと、それは図３で示すように先端中央の横軸部５０ａより左右の縦軸部５０ｂ，５０ｃを直角に折り曲げて略コの字状を呈し、図４で示すように両縦軸部５０ｂ（５０ｃ）の中腹辺を同方向の円弧状に湾曲し、両縦軸部５０ｂ（５０ｃ）の先端寄りを円弧方向と逆方向の斜め上方に反り返し、両縦軸部５０ｂ（５０ｃ）より下軸側を基軸部５０ｄ（５０ｅ）として円弧方向と同方向の略直角方向に折り曲げて形成されている。
【００３５】
対の把持枠５ａ，５ｂは、図５，図６で示すように各基軸部５０ｄ（５０ｅ），５０ｄ’（５０ｅ’）を横桁フレーム３の各側部面に開口した係止穴３０ａ（３０ｂ），３１ａ（３１ｂ）より筒内に挿置し、両バネ端を横桁フレーム３の側部面に開口する通し穴３２ａ（３２ｂ），３３ａ（３３ｂ）より外方に引き出させて横桁フレーム３の筒内に配置する引張バネ５０ｆ（５０ｇ）を相対する縦軸部５０ｂ（５０ｃ），５０ｂ’（５０ｃ’）の軸下寄りに掛け渡し、横桁フレーム３の側部両側で相対することからチャック５として組み付けられている。
【００３６】
そのチャック５は、横桁フレーム３の係止穴３０ａ（３０ｂ），３１ａ（３１ｂ）より筒内に挿置する基軸部５０ｄ（５０ｅ），５０ｄ’（５０ｅ’）を支点に、把持枠５ａ，５ｂを引張バネ５０ｆ（５０ｇ）で離間乃至は近接可能に支持し、横軸部５０ａ，５０ａ’を含む縦軸部５０ｂ（５０ｃ）の先端寄りをガラス管の受入れ口とし、縦軸部５０ｂ（５０ｃ）の中腹辺をガラス管の挟持部として組み付けられている。チャック６も、チャック５と同じ構成で組み立てられている。
【００３７】
偏心カム７は、図７で示すように平面略楕円形を呈するものでなり、通常時にはスライドフレーム４０と当接する側が短く、反対側が長くなるよう偏心位置に圧入する支柱軸２で保持されている。この偏心カム７によっては、口金ピンをソケットの端子穴より抜き出すべく、片側のソケットケースと当接するプッシャ４のスライドフレーム４０を押し送りすることにより、少なくとも口金ピンの長さ分だけスライドフレーム４０と横桁フレーム３とを相対的にストローク移動するよう設けられている。
【００３８】
横桁フレーム３の片側面には、偏心カム７が横桁フレーム３の筒内で正，逆回転するに出没可能な開口３４が設けられている（図１参照）。その開口３０を横切っては、偏心カム７の正，逆回転に伴うクリック感を付与する押えバー１１が備え付けられている。
【００３９】
その押えバー１１は金属線材を折り曲げたものでなり、スライドフレーム４０に近い側を自由端１１ａとし、略直角に折り曲げた基軸部１１ｂ，１１ｃを横桁フレーム３の側面に設けた軸受穴に嵌め合わせ、引張バネ１１ｄを軸線の略中腹と横桁フレーム３の筒内より他側面との間に掛け渡すことにより偏心カム７の回転に伴って斜めに張出し乃至はバネ復帰するよう設けられている。
【００４０】
このように構成する直管型蛍光灯の着脱交換器具では、蛍光灯の取外しにあたり、作業員が具全体を操作棒１で持って蛍光灯の装備場所まで持ち上げ、まず、図８で示すようにプッシャ４の先端側を片側のソケットケースＮ１に当接し、それを基準面として具全体を押し上げると、チャック５，６が蛍光灯Ｌのガラス管Ｇを挟持枠の相対間に受け入れて挟持すると共に、プッシャ４がガラス管Ｇから口金Ｃ１を非接触状態で自由に受け入れる。
【００４１】
このとき、チャック５，６では把持枠５ａ，５ｂが引張バネ５０ｆ（５０ｇ）で離間乃至は近接可能に支持されているため、横軸部５０ａ，５０ａ’を含む両縦軸部５０ｂ（５０ｃ）の斜め上方に反り返る先端寄りを受入れ口としてガラス管Ｇを容易に受け入れられる。また、縦軸部５０ｂ（５０ｃ）の湾曲する中腹辺がガラス管の挟持部となることから、蛍光灯のガラス管をチャックで安定よく把持するようにできる。
【００４２】
次いで、作業員が操作棒１を軸回しすると、図９で示すようにプッシャ４が偏心カム７で横桁フレーム３の筒片端より延長方向に移動され、横桁フレーム３がガラス管Ｇをチャック５，６で挟持したままソケットケースＮ１と当接したプッシャ４と相対的にズレ動くことから、蛍光灯の灯全体を介して他側のソケットＳ２をソケットケースＮ２の内部に没入させると同時に、灯全体をプッシャ側のソケットＳ１から離間させて口金ピンＰ１を含む口金Ｃ１を該ソケットＳ１より外し出せる。
【００４３】
この際、滑止め用の弾性パッド８がガラス管Ｇと相対する横桁フレーム３の上部面に張設されているため、チャック５，６による把持と共に、蛍光灯のガラス管Ｇがズレ動かないよう横桁フレーム３の上部面に弾性パッド８で安定よく保持できる。
【００４４】
その口金の取外し状態では、他側の口金ピンＰ２を含む口金Ｃ２が他側のソケットＳ２で保持されたままであるが、作業員が具全体を操作棒１で引き下げれば、図１０で示すようにプッシャ４をソケットケースＮ１との当接状態より外せる。これにより、蛍光灯のカラス管Ｇをチャック５，６で挟持したまま口金ピンＰ１を含む口金Ｃ１をプッシャ側のソケットＳ１から外せて灯全体をソケットケースＮ１より斜め下方に持ち出せ、また、他側の口金ピンＰ２を含む口金Ｃ２を他側のソケットＳ２より取り外せるから、チャック５，６で挟持した蛍光灯Ｌを操作棒で手元まで取り寄せられる。
【００４５】
蛍光灯の取付けにあたっては、まず、プッシャと片側の口金とを基準面の端面相互で合わせてガラス管Ｇをチャック５，６で把持することから蛍光灯Ｌを横桁フレーム３に組み付ける。次いで、作業員が操作棒１を持って蛍光灯を装備場所まで持ち上げ、片側の口金Ｃ２と相応するソケットＳ２とを合わせて口金ピンＰ２を端子穴に差し込む。口金ピンＰ２を端子穴に差し込むと、プッシャ４の先端側を片側のソケットケースＮ１にやや斜めにあてがえる（図１０参照）。
【００４６】
そのプッシャ４のあてがい状態から、作業員が操作棒を軸回しすると、上述したと同様にプッシャ４が偏心カム７で横桁フレーム３の筒片端より延長方向に移動し、横桁フレーム３がガラス管Ｇをチャック５，６で挟持したままソケットケースＮ１と当接したプッシャ４と相対的にズレ動き、灯全体を介して先の口金ピンＰ２を端子穴に差し込んだソケットＳ２をソケットケースＮ２の内部に没入させることから、プッシャ側の口金Ｃ１を当該側のソケットＳ１と合わせられる（図９参照）。
【００４７】
プッシャ側の口金Ｃ１を当該側のソケットＳ１と合わせたら、作業員が操作棒１を逆に軸回しすると、プッシャ４が偏心カム７による押送りから解除されることから、先の口金ピンＰ２を端子穴に差し込んだソケットＳ２をソケットケースＮ２の内部で迫り出させられると共に、プッシャ側の口金ピンＰ１を当該側のソケットＳ１の端子穴に差し込める。これにより、蛍光灯Ｌを装備場所に取り付けられ、作業員が具全体を操作棒１で引き下げれば、チャック５，６をガラス管Ｇより外すようにできる。
【００４８】
その蛍光灯の取付け，取外しのいずれに際しても、チャック５，６がガラス管Ｇと擦れ動くことがなく、また、プッシャ４もガラス管Ｇと摺接することがないため、ストレスをガラス管Ｇに加えないで、蛍光灯Ｌを簡単な操作で容易に着脱交換するようにできる。
【００４９】
上述したチャック５，６に代えて、図１１，図１２で示すようなチャック５’（一つのみ図示）を備えるようにできる。このチャック５’はチャック５，６と同様に金属線材を折り曲げた二つ対の把持枠５ｃ，５ｄでなり、既設の蛍光灯を取り外すにあたり、作業員が把持枠５ｃ，５ｄを開き（離間）状態に保って具全体を操作棒１で持ち上げ、チャック５’を既設の蛍光灯と当接すると、把持枠５ｃ，５ｄを閉じ（近接）状態にさせて当該蛍光灯をチャック５’で挟み込めるよう構成されている。
【００５０】
把持枠５ｃ，５ｄは、先端中央の横軸部５１ａより左右の縦軸部５１ｂ，５１ｃを直角に折り曲げて略コの字状を呈し、縦軸部５１ｂ，５１ｃの中腹辺より先端側を同方向の円弧状に湾曲し、円弧方向と逆方向に張り出す段部５１ｄ，５１ｅを縦軸部５１ｂ，５１ｃの中腹辺に設け、横軸部５１ａと平行する橋絡軸部５１ｆを段部５１ｄ，５１ｅの間に掛け渡し、縦軸部５１ｂ，５１ｃより下軸側を基軸部５１ｇ，５１ｈとして円弧方向と同方向の略直角方向に折り曲げて形成されている。縦軸部５１ｂ，５１ｃの先端側には、緩衝用の弾性リング５１ｉ，５１ｊを円弧状の軸線に沿わせて嵌装するようにできる。
【００５１】
この把持枠５ｃ，５ｄも、基軸部５１ｇ（５１ｈ），５１ｇ’（５１ｈ’）を横桁フレーム３の側部面に開口した係止穴３０ａ（３０ｂ），３１ａ（３１ｂ）より筒内に挿置させて横桁フレーム３の側部両側で相対し、横桁フレーム３の筒内に配置する引張バネ５１ｋ（５１ｌ）の各バネ端を横桁フレーム３の側部面に開口する通し穴３２ａ（３２ｂ），３３ａ（３３ｂ）より外方に引き出させて相対する縦軸部５１ｂ（５１ｃ），５１ｂ’（５１ｃ’）の段部５１ｄ（５１ｅ），５１ｄ’（５１ｅ’）より下軸側に掛け渡すことからチャック５’として組み立てられている。
【００５２】
チャック５’としては、横桁フレーム３の係止穴３０ａ（３０ｂ），３１ａ（３１ｂ）より筒内に挿置する各基軸部５１ｇ（５１ｈ），５１ｇ’（５１ｈ’）を支点に、両把持枠５ｃ、５ｄが引張バネ５１ｋ（５１ｌ）で離間乃至は近接可能に組み付けられている。
【００５３】
そのチャック５’には、把持枠５ｃ，５ｄを開き（離間）状態に係止可能なキー５２が組み付けられている。キー５２は、横桁フレーム３の側部面と各把持枠５ｃ，５ｄの橋絡軸部との間に割込ませ可能な上向きコ字状の楔状片５２ａと、軸頭を把持枠５ｃ，５ｃの相対する横桁フレーム３の上部面に露出する外しピン５２ｂと、外しピン５２ｂを立て付ける保持ナット５２ｃとから組み立てられている。
【００５４】
楔状片５２ａは、底辺部５２０を横桁フレーム３の下部側に配置し、各側辺部５２１、５２２を横桁フレーム３の両側部に配置するよう組み付けられている。外しピン５２ｂは、楔状片５２ａの底辺部５２０に植立させて横桁フレーム３の筒内に挿通し、主軸部５２３より張り出す略扁平な鍔頭部５２４を横桁フレーム３の上部面に露出するよう組み付けられている。
【００５５】
楔状片５２ａとしては、各側辺部５２１，５２２が横桁フレーム３の側部面を規制面として内面側で摺接し、把持枠５ｃ，５ｄの橋絡軸部５１ｆ，５１ｆ’を引張バネ５１ｋ（５１ｌ）に抗して離間方向に押圧するよう把持枠５ｃ，５ｄの橋絡軸部５１ｆ，５１ｆ’と摺接する先端側を外面側で鋭角に面取って形成したものが組み付けられている。
【００５６】
キー５２は、作業員が既設の蛍光灯を取り外すべく具全体を操作棒１で持ち上げるに先立って、図１３で示すように楔状片５２ａを横桁フレーム３の側部面と各把持枠５ｃ，５ｄの橋絡軸部５１ｆ，５１ｆ’との間に割込ませることから把持枠５ｃ，５ｄを離間（開き）状態に保持し、外しピン５２ｂを把持枠５ｃ，５ｄの相対する横桁フレーム３の上部面に突出させて具全体を蛍光灯の装備場所まで操作棒１で持ち上げる。
【００５７】
その外しピン５２ｂの突出状態から、作業員が具全体を操作棒１で持ち上げて蛍光灯のガラス管を離間した把持枠５ｃ，５ｄの間に受け入れ、外しピン５２ｂの鍔頭部５２４を蛍光灯のガラス管と当接させて外しピン５２ｂを押し下げると、楔状枠５２ａを横桁フレーム３の側部面と把持枠５ｃ，５ｄの橋絡軸部５１ｆ，５１ｉｆ’との間より外し出せる。これにより、把持枠５ｃ，５ｄは引張バネ５１ｋ（５１ｌ）で近接（閉じ）することから、当該ガラス管を把持枠５ｃ，５ｄで挟持するようにできる。以後は、上述したと同様に蛍光灯を取外し操作するようにできる。
【図面の簡単な説明】
【００５８】
【図１】本発明に係る直管型蛍光灯の着脱交換器具を操作棒の一部省略で示す正面図である。
【図２】図１の器具に備えられる一例のチャック並びにプッシャを主に示す側面図である。
【図３】図２のチャックを組み立てる把持枠の一つを示す正面図である。
【図４】図３の把持枠を示す側面図である。
【図５】図２のチャックを示す側面図である。
【図６】図５のチャックを示す平面図である。
【図７】図１の器具に備えられる偏心カムを主に示す平面図である。
【図８】図１の器具による蛍光灯の取外し初期手順を示す説明図である。
【図９】図８の手順に引き続く取外し手順を示す説明図である。
【図１０】図９の手順に引き続く取外し手順を示す説明図である。
【図１１】図２のチャックと別例のチャックを主に示す正面図である。
【図１２】図１１のチャックを主に示す側面図である。
【図１３】図１１のチャックによる蛍光灯の取外し初期手順を示す説明図である。
【符号の説明】
【００５９】
Ｌ                  蛍光灯
Ｇ                  ガラス管
Ｃ１，Ｃ２            口金
Ｎ１，Ｎ２            ソケットケース
Ｓ１，Ｓ２            ソケット
１                  取手兼用操作棒
２                  支柱軸
３                  横桁フレーム
４                  プッシャ
４０                スライドフレーム
４４                引張バネ
５，６              一例のチャック
５ａ，５ｂ          一例の把持枠
５０ａ              把持枠の横軸部
５０ｂ，５０ｃ      把持枠の縦軸部
５０ｄ，５０ｅ      把持枠の基軸部
５’                別例のチャック
５ｃ，５ｄ          別例の把持枠
５１ａ              把持枠の横軸部
５１ｂ，５１ｃ      把持枠の縦軸部
５１ｄ，５１ｅ      把持枠の段部
５１ｆ              把持枠の橋絡軸部
５１ｇ，５１ｈ      把持枠の基軸部
５２                キー
５２ａ              楔状枠
５２ｂ              外しピン
７                  偏心カム
８                  弾性パッド
【図１】
2008192457.tif 000003
【図２】
2008192457.tif 000004
【図３】
2008192457.tif 000005
【図４】
2008192457.tif 000006
【図５】
2008192457.tif 000007
【図６】
2008192457.tif 000008
【図７】
2008192457.tif 000009
【図８】
2008192457.tif 000010
【図９】
2008192457.tif 000011
【図１０】
2008192457.tif 000012
【図１１】
2008192457.tif 000013
【図１２】
2008192457.tif 000014
【図１３】
2008192457.tif 000015